(57)【要約】      （修正有）【課題】自声検出を用いた聴覚デバイス及び関連する方法を提供する。【解決手段】聴覚デバイス２は、第１のマイクロホン４及び第２のマイクロホン６を含む１組のマイクロホンと、マイクロホン入力信号を処理するためユーザの自声を検出するように構成された音声検出器モジュール８と、マイクロホン入力信号４Ａ、６Ａに基づいて電気出力信号１０Ａを提供するためにマイクロホン入力信号を処理するプロセッサ１０と、電気出力信号をオーディオ出力信号１２Ａに変換するレシーバ１２とを備える。音声検出器モジュールは、音声基準が満たされているかどうかを判断し、第１の音声基準、第２の音声基準及び第３の音声基準のうちの少なくとも２つが満たされていることに従って、自声の検出をプロセッサに通知する。【選択図】図１
2020102836.tif 000002
【特許請求の範囲】
【請求項１】
聴覚デバイスであって、
第１のマイクロホン入力信号及び第２のマイクロホン入力信号をそれぞれ提供するための第１のマイクロホン及び第２のマイクロホンを含む１組のマイクロホンと、
前記第１のマイクロホン入力信号及び前記第２のマイクロホン入力信号を処理するために前記第１のマイクロホン及び前記第２のマイクロホンに接続され、前記聴覚デバイスのユーザの自声を検出するように構成された音声検出器モジュールと、
前記第１のマイクロホン入力信号及び前記第２のマイクロホン入力信号に基づいて電気出力信号を提供するために前記第１のマイクロホン入力信号及び前記第２のマイクロホン入力信号を処理するプロセッサと、
前記電気出力信号をオーディオ出力信号に変換するレシーバと
を備え、
前記音声検出器モジュールは、
音声基準が満たされているかどうかを判断し、
第１の音声基準、第２の音声基準及び第３の音声基準のうちの少なくとも２つが満たされていることに従って、自声の検出を前記プロセッサに通知するように構成されている、聴覚デバイス。
【請求項２】
前記音声検出器モジュールは、前記第１のマイクロホン入力信号を含む１つ又は複数の入力信号に基づくパワーパラメータを提供するパワー解析器を備え、前記第１の音声基準は、前記パワーパラメータに基づく、請求項１に記載の聴覚デバイス。
【請求項３】
前記１つ又は複数の入力信号は、前記第１のマイクロホン入力信号及びフィルタリングされた第２のマイクロホン入力信号に基づくエラー信号を含み、前記第１の音声基準は前記エラー信号に基づく、請求項２に記載の聴覚デバイス。
【請求項４】
前記音声検出器モジュールは前記第２のマイクロホン入力信号をフィルタリングする適応フィルタを備え、前記第２の音声基準は前記適応フィルタの１つ又は複数のフィルタ係数に基づく、請求項１から３のいずれか一項に記載の聴覚デバイス。
【請求項５】
前記音声検出器モジュールは、前記第１のマイクロホン入力信号に基づく第１のスペクトルパラメータ及び前記第２のマイクロホン入力信号に基づく第２のスペクトルパラメータを提供するスペクトル解析器を備え、前記第３の音声基準は前記第１のスペクトルパラメータ及び前記第２のスペクトルパラメータに基づく、請求項１から４のいずれか一項に記載の聴覚デバイス。
【請求項６】
前記聴覚デバイスは耳後方（ｂｅｈｉｎｄ−ｔｈｅ−ｅａｒ）部分を備え、前記第１のマイクロホンは前記耳後方部分の前方マイクロホンである、請求項１から５のいずれか一項に記載の聴覚デバイス。
【請求項７】
前記聴覚デバイスは少なくとも部分的にユーザの外耳道内に配置されるように構成された耳（ｅａｒ）部分を備え、前記第２のマイクロホンは前記耳部分に配置される、請求項１から６のいずれか一項に記載の聴覚デバイス。
【請求項８】
前記聴覚デバイスは、１つ又は複数の対側自声パラメータを対側聴覚デバイスから受信するために、前記音声検出器モジュールに接続された無線トランシーバを備える、請求項１から７のいずれか一項に記載の聴覚デバイス。
【請求項９】
前記音声検出器モジュールは、
第１の対側自声パラメータに基づく第４の音声基準が満たされているかどうかを判断し、
前記第４の音声基準を含む少なくとも３つの音声基準が満たされていることに従って、自声の検出を前記プロセッサに通知するように構成されている、請求項８に記載の聴覚デバイス。
【請求項１０】
前記音声検出器モジュールは、
第２の対側自声パラメータに基づく第５の音声基準が満たされているかどうかを判断し、
前記第５の音声基準を含む少なくとも３つの音声基準が満たされていることに従って、自声の検出を前記プロセッサに通知するように構成されている、請求項８又は９に記載の聴覚デバイス。
【請求項１１】
前記音声検出器モジュールは、
第３の対側自声パラメータに基づく第６の音声基準が満たされているかどうかを判断し、
前記第６の音声基準を含む少なくとも３つの音声基準が満たされていることに従って、自声の検出を前記プロセッサに通知するように構成されている、請求項８から１０のいずれか一項に記載の聴覚デバイス。
【請求項１２】
プロセッサと、音声検出器モジュールと、第１のマイクロホン及び第２のマイクロホンを含む１組のマイクロホンと、を備えた聴覚デバイスの操作方法であって、
第１のマイクロホン入力信号及び第２のマイクロホン入力信号を取得することと、
音声基準が満たされているかどうかを判断することと、
第１の音声基準、第２の音声基準及び第３の音声基準のうちの少なくとも２つが満たされていることに従って、自声の検出を前記プロセッサに通知することと、
を含む方法。
【請求項１３】
前記第１のマイクロホン入力信号を含む１つ又は複数の入力信号に基づく１つ又は複数のパワーパラメータを決定することを含み、前記第１の音声基準は前記パワーパラメータに基づく、請求項１２に記載の方法。
【請求項１４】
前記第２のマイクロホン入力信号を適応フィルタでフィルタリングすることを含み、前記第２の音声基準は前記適応フィルタの１つ又は複数のフィルタ係数に基づく、請求項１２又は１３に記載の方法。
【請求項１５】
前記第１のマイクロホン入力信号及び前記第２のマイクロホン入力信号に基づく１つ又は複数のスペクトルパラメータを決定することを含み、前記第３の音声基準は前記スペクトルパラメータに基づく、請求項１２から１４のいずれか一項に記載の方法。
【発明の詳細な説明】
【技術分野】
【０００１】
本開示は、自声検出を用いた聴覚デバイス及び聴覚デバイスを操作する関連する方法に関する。
【背景技術】
【０００２】
信頼性の高い音声検出は、聴音場面の効果的な分類、ひいては聴覚デバイスの効果的なステアリングに必須である。
【０００３】
自声検出は、高くなる通信要件、音声デバイスの様々なユースケース、すなわち、補聴器と音楽ストリーマの融合故にますます重要になりつつある。こうした多目的での使用は、これらの異なる要件に応じた様々な処理スキームを必要とするであろう。例えば、（低音の）音楽を聴くとき、自声の閉塞感が音楽に干渉することは望ましくない場合があり、そのため能動的な閉塞感消去が実行されるべきである。従って、このことは、必要なときにのみ当該処理を実行し、電力供給を浪費しない、信頼性の高い自声検出を必要とする。
【発明の概要】
【発明が解決しようとする課題】
【０００４】
従って、改善された自声検出能力を有する聴覚デバイス及び方法が必要である。
【課題を解決するための手段】
【０００５】
聴覚デバイスが開示され、聴覚デバイスは、第１のマイクロホン入力信号及び第２のマイクロホン入力信号をそれぞれ提供するための第１のマイクロホン及び第２のマイクロホンを含む１組のマイクロホンと、第１のマイクロホン入力信号及び第２のマイクロホン入力信号を処理するために第１のマイクロホン及び第２のマイクロホンに接続され、聴覚デバイスのユーザの自声を検出するように構成された音声検出器モジュールと、第１のマイクロホン入力信号及び第２のマイクロホン入力信号に基づいて電気出力信号を提供するために第１のマイクロホン入力信号及び第２のマイクロホン入力信号を処理するプロセッサと、電気出力信号をオーディオ出力信号に変換するレシーバと、を備える。音声検出器モジュールは、１つ又は複数の音声基準が満たされているかどうかを判断し、第１の音声基準、第２の音声基準及び第３の音声基準のうちの１つ又は少なくとも２つ等の複数の音声基準が満たされていることに従って、自声の検出をプロセッサに通知するように構成されている。
【０００６】
さらに、プロセッサと、音声検出器モジュールとを備えた聴覚デバイスの操作方法が開示され、本方法は、第１のマイクロホン入力信号及び第２のマイクロホン入力信号を取得することと、１つ又は複数の音声基準が満たされているかどうかを判断することと、第１の音声基準、第２の音声基準及び第３の音声基準のうちの１つ又は少なくとも２つ等の複数の音声基準が満たされていることに従って、自声の検出をプロセッサに通知することとを備える。
【０００７】
本開示は、改善されたより正確な自声検出を可能にし、これにより、改善された聴覚デバイス処理、例えば、閉塞効果消去を可能にする。
【０００８】
改善された信頼性の高い自声検出は、例えば、聴覚デバイスでの音楽のストリーミング及び自動プログラムスイッチ、ならびにデバイス間通信に対する広範囲のメリットを提供する。
【０００９】
自声の存在の判断において、異なる音声基準を組み合わせることによる、より高い確率での正確な自声検出と、より少ない誤検出及び／又は検出漏れが提供され、これにより自声検出が改善される。
【図面の簡単な説明】
【００１０】
本発明の上記及び他の特徴及び利点は、添付の図面を参照しながら、例示的実施形態の以下の詳細な説明により当業者には容易に明らかとなるであろう。
【００１１】
【図１】本開示による例示的な聴覚デバイスを概略的に示す。
【図２】例示的な音声検出器モジュールを概略的に示す。
【図３】本開示による例示的方法のフローチャートである。
【発明を実施するための形態】
【００１２】
関連する場合に図面を参照しながら、各種例示的実施形態及び詳細を以下で説明する。図面は縮尺通りに描写されている事もあればされていない事もあり、類似の構造又は機能の要素は図面全体にわたって同じ参照番号により表されるという点に留意すべきである。また、図面は実施形態の説明を容易にすることを意図するものに過ぎないことに留意すべきである。図面は、本発明の包括的な説明としても、又は本発明の範囲に対する制限としても意図されていない。加えて、図示した実施形態は、示されるすべての態様又は利点を有する必要はない。特定の実施形態とともに記載される態様又は利点は必ずしも、その実施形態に限定されず、示されていなかったり、又は明示的に説明されていなくても、任意の他の実施形態で実施可能である。
【００１３】
聴覚デバイスが開示されている。聴覚デバイスは、プロセッサがユーザの聴力損失を補うように構成されたヒアラブル又は補聴器であってよい。聴覚デバイスは、ＢＴＥ（Ｂｅｈｉｎｄ−Ｔｈｅ−Ｅａｒ、耳後方）型、ＩＴＥ（Ｉｎ−Ｔｈｅ−Ｅａｒ、耳内）型、ＩＴＣ（Ｉｎ−Ｔｈｅ−Ｃａｎａｌ、外耳道内）型、ＭＩＥ（Ｍｉｃｒｏｐｈｏｎｅ−Ｉｎ−Ｅａｒ、耳内マイクロホン）型、ＲＩＣ（Ｒｅｃｅｉｖｅｒ−Ｉｎ−Ｃａｎａｌ、外耳道内レシーバ）型及び／又はＲＩＴＥ（Ｒｅｃｅｉｖｅｒ−Ｉｎ−Ｔｈｅ−Ｅａｒ、耳内レシーバ）型であってよい。補聴器は両耳用補聴器であってもよい。聴覚デバイスは、第１のイヤピース及び第２のイヤピースを備えてよく、第１のイヤピース及び／又は第２のイヤピースは、本明細書で開示されるイヤピースである。
【００１４】
聴覚デバイスは、第１のマイクロホン入力信号及び第２のマイクロホン入力信号をそれぞれ提供するための第１のマイクロホン及び／又は第２のマイクロホンを含む、１組のマイクロホンを備える。１組のマイクロホンは１つ又は複数のマイクロホンを備えてよい。１組のマイクロホンは、Ｎ個のマイクロホン信号を提供するためにＮ個のマイクロホンを備えてよく、ここでＮは１〜１０の範囲の整数である。１つ又は複数の例示的な聴覚デバイスでは、マイクロホンの個数Ｎは、２、３、４、５、又はそれ以上である。１組のマイクロホンは、第３のマイクロホン入力信号を提供するための第３のマイクロホンを備えてよい。１つ又は複数の例示的な聴覚デバイスでは、聴覚デバイスは耳後方（ｂｅｈｉｎｄ−ｔｈｅ−ｅａｒ）部分を備え、第１のマイクロホンは耳後方部分の前方マイクロホンである。１つ又は複数の例示的な聴覚デバイスでは、聴覚デバイスは耳後方部分を備え、第２のマイクロホンは耳後方部分の後方マイクロホンである。１つ又は複数の例示的な聴覚デバイスでは、聴覚デバイスは少なくとも部分的にユーザの外耳道内に配置されるように構成された耳（ｅａｒ）部分を備え、第２のマイクロホンは耳部分に配置される。１つ又は複数の例示的な聴覚デバイスでは、聴覚デバイスはユーザの外耳道内に少なくとも部分的に配置されるように構成された耳部分を備え、第１のマイクロホンは、耳部分に配置され、例えば聴覚デバイスがＣＩＣ聴覚デバイスである場合、例えば（閉鎖している／閉塞している）外耳道内の音声を検出する外耳道マイクロホンとして構成される。
【００１５】
聴覚デバイスは、１つ又は複数のデバイス、例えば両耳用聴覚システムの一部としての別の聴覚デバイス等と、かつ／又は、１つもしくは複数のアクセサリデバイス、例えばスマートフォン及び／又はスマートウォッチと、無線通信するように構成されてよい。無線入力信号は、外部音源、例えば、スパウスマイクロホンデバイス、無線ＴＶオーディオトランスミッタ、及び／又は無線トランスミッタと関連する分散型マイクロホンアレイから生じてよい。無線入力信号は、例えば両耳用聴覚システムの一部としての別の聴覚デバイス、かつ／又は１つもしくは複数のアクセサリデバイスから生じてよい。
【００１６】
従って、聴覚デバイスは所望により、対側聴覚デバイスからデータを受信するために、例えばアンテナとアンテナに結合された無線トランシーバとを含む無線トランシーバ又は送受信機とを備える。一実施形態では、聴覚デバイスは、対側聴覚デバイスから１つ又は複数の対側自声パラメータを受信するために、アンテナとアンテナに結合された無線トランシーバとを含んでよい。無線トランシーバは、１つ又は複数の対側自声パラメータを音声検出器モジュールに提供するために、音声検出器モジュールに接続されている。換言すれば、聴覚デバイスは、１つ又は複数の対側自声パラメータ、例えば、第１の対側自声パラメータ、第２の対側自声パラメータ及び／又は第３の対側自声パラメータを、対側聴覚デバイスから受信するために、音声検出器モジュールに接続された無線トランシーバを備えてよい。
【００１７】
第１の対側自声パラメータＣＯＶＰ＿１は、対側聴覚デバイスにおいて第１の音声基準が満たされている（ＣＯＶＰ＿１＝１）か、又は満たされていない（ＣＯＶＰ＿１＝０）かを示す論理値（０又は１）であってよい。第１の音声基準は、第１の対側自声パラメータに基づいてよい。
【００１８】
第２の対側自声パラメータＣＯＶＰ＿２は、対側聴覚デバイスにおいて第２の音声基準が満たされている（ＣＯＶＰ＿２＝１）か、又は満たされていない（ＣＯＶＰ＿２＝０）かを示す論理値（０又は１）であってよい。第２の音声基準は、第２の対側自声パラメータに基づいてよい。
【００１９】
第３の対側自声パラメータＣＯＶＰ＿３は、対側聴覚デバイスにおいて第３の音声基準が満たされている（ＣＯＶＰ＿３＝１）か、又は満たされていない（ＣＯＶＰ＿３＝０）かを示す論理値（０又は１）であってよい。第３の音声基準は、第３の対側自声パラメータに基づいてよい。従って、両耳用聴覚システムの聴覚デバイスは両方とも、各聴覚デバイスの自声検出に寄与してよい。これによりさらに自声検出が改善される。
【００２０】
音声検出器モジュールは、１つ又は複数の自声パラメータ、例えば、第１の自声パラメータ、及び／又は第２の自声パラメータ、及び／又は第３の自声パラメータを、無線トランシーバを介して、対側聴覚デバイスへ送信するように構成されてよい。音声検出器モジュールは、音声基準の対応するそれぞれの部分が聴覚デバイスにおいて満たされているかどうかを示す１つ又は複数の音声基準インジケータを、無線トランシーバを介して送信するように構成されてよい。
【００２１】
１つ又は複数の例示的な聴覚デバイスでは、音声検出器モジュールは、第１の音声基準の一部、例えば、Ｐ＿１＞Ｐ＿Ｅ又はＰ＿１−Ｐ＿Ｅ＞ＴＨ＿Ｐが聴覚デバイスにおいて満たされるとき、第１の音声基準インジケータＶＣＩ＿１＝１を対側聴覚デバイスに送信する（対側聴覚デバイスでＣＯＶＰ＿１として受理される）ように構成されてよい。
【００２２】
１つ又は複数の例示的な聴覚デバイスでは、音声検出器モジュールは、第２の音声基準の一部が、例えばＣＯＶＰ＿２＝１が無い状態で聴覚デバイスにおいて満たされるとき、第２の音声基準インジケータＶＣＩ＿２＝１を対側聴覚デバイスに送信する（対側聴覚デバイスでＣＯＶＰ＿２として受理される）ように構成されてよい。
【００２３】
１つ又は複数の例示的な聴覚デバイスでは、音声検出器モジュールは、第３の音声基準の一部が、聴覚デバイスにおいて満たされるとき、第３の音声基準インジケータＶＣＩ＿３＝１を対側聴覚デバイスに送信する（対側聴覚デバイスでＣＯＶＰ＿３として受理される）ように構成されてよい。従って、聴覚デバイスは、自声検出及び／又は音声基準が満たされることを対側聴覚デバイスに通信してよい。
【００２４】
聴覚デバイスは、第１のマイクロホン入力信号及び第２のマイクロホン入力信号を処理するために、第１のマイクロホン及び第２のマイクロホンに接続された音声検出器モジュールを備える。音声検出器モジュールは、例えば、第１のマイクロホン入力信号及び／又は第２のマイクロホン入力信号に基づいて、聴覚デバイスのユーザの自声を検出するように構成されている。音声検出器モジュールは、１つ又は複数の音声基準が満たされているかどうかを判断するように構成されている。音声検出器モジュールは、１つ又は複数の音声基準が満たされていることに従って、自声の検出をプロセッサに通知するように構成されている。
【００２５】
１つ又は複数の例示的な聴覚デバイスでは、音声検出器モジュールは、第１の音声基準、第２の音声基準及び第３の音声基準のうちの少なくとも２つが満たされていることに従って、自声の検出をプロセッサに通知するように構成されている。
【００２６】
１つ又は複数の実施形態では、音声検出器モジュールは、通知の送信によって、自声の検出をプロセッサに通知するように構成されている。一実施形態では、通知は自声検出を示す論理値（０又は１）であってよい。一実施形態では、通知値１は自声の検出を示してよく、通知値０は自声が検出されないことを示してよい。１つ又は複数の実施形態では、通知の変化が起きた場合、すなわち、０から１、又は１から０への通知の変化が起きた場合、音声検出器モジュールからプロセッサに通知が送信されてよい。一実施形態では、通知は、定期的に、すなわち、１ミリ秒毎に１度、又は１０ミリ秒毎に１度、又は１００ミリ秒毎に１度、又は１秒毎に１度、又は１０秒毎に１度、又は１分毎に１度、音声検出器モジュールからプロセッサに送信されてよい。
【００２７】
第１の音声基準は、第１の１次自声パラメータ及び／又は第１の２次自声パラメータを含む１つ又は複数の第１の自声パラメータに基づいてよい。
【００２８】
第２の音声基準は、第２の１次自声パラメータ及び／又は第２の２次自声パラメータを含む１つ又は複数の第２の自声パラメータに基づいてよい。
【００２９】
第３の音声基準は、第３の１次自声パラメータ及び／又は第３の２次自声パラメータを含む１つ又は複数の第３の自声パラメータに基づいてよい。
【００３０】
１つ又は複数の例示的な聴覚デバイス／方法では、音声検出器モジュールは、第１のマイクロホン入力信号を含む１つ又は複数の入力信号に基づく、１つ又は複数のパワーパラメータを提供するパワー解析器を備える。パワーパラメータは、第１の自声パラメータ等の自声パラメータを形成又は構成してよく、第１の音声基準は所望により、パワーパラメータに基づく。換言すれば、音声検出器モジュールは、第１のマイクロホン入力信号を含む１つ又は複数の入力信号に基づくパワーパラメータを提供するパワー解析器を備えることができ、第１の音声基準は所望により、パワーパラメータに基づく。
【００３１】
パワー解析器のための１つ又は複数の入力信号は、第１のマイクロホン入力信号と、第２マイクロホン入力信号又はフィルタリングされた第２マイクロホン入力信号の一方と、に基づくエラー信号を備えてよく、第１の音声基準はエラー信号に基づく。
【００３２】
１つ又は複数の例示的な聴覚デバイスでは、第１の１次自声パラメータＯＶＰ＿１＿１は第１のマイクロホン入力信号の第１のパワーパラメータＰ＿１であり得るため、第１の音声基準の第１の１次自声パラメータＯＶＰ＿１＿１は、第１のマイクロホン入力信号のパワーを示す第１のパワーパラメータＰ＿１である。
【００３３】
１つ又は複数の例示的な聴覚デバイスでは、第１の音声基準の第１の２次自声パラメータＯＶＰ＿１＿２は、例えば、第１のマイクロホン入力信号とフィルタリングされた第２のマイクロホン入力信号との間のエラーを示すエラー信号の、パワーを示すエラーパワーパラメータＰ＿Ｅである。
【００３４】
１つ又は複数の例示的な聴覚デバイスでは、第１の音声基準ＶＣ＿１は、
Ｐ＿Ｅ＜Ｐ＿１
によって与えられてよい。
【００３５】
１つ又は複数の例示的な聴覚デバイスでは、第１の音声基準ＶＣ＿１は、
Ｐ＿１−Ｐ＿Ｅ＞ＴＨ＿Ｐ
によって与えられてよい。
ここで、ＴＨ＿Ｐはパワー閾値である。
【００３６】
１つ又は複数の例示的な聴覚デバイスでは、第１の音声基準は、
Ｐ＿Ｅ＜Ｐ＿１かつＣＯＶＰ＿１＝１
によって与えられてよい。
ここで、ＣＯＶＰ＿１＝１は、対側聴覚デバイスにおいてＰ＿Ｅ＜Ｐ＿１が満たされていることを示す。
【００３７】
１つ又は複数の例示的な聴覚デバイスでは、第１の音声基準は、
Ｐ＿１−Ｐ＿Ｅ＞ＴＨ＿ＰかつＣＯＶＰ＿１＝１
によって与えられてよい。
ここで、ＴＨ＿Ｐはパワー閾値であり、ＣＯＶＰ＿１＝１は、対側聴覚デバイスにおいてＰ＿１−Ｐ＿Ｅ＞ＴＨ＿Ｐが満たされていることを示す。
【００３８】
１つ又は複数の例示的な聴覚デバイス／方法では、音声検出器モジュールは第２のマイクロホン入力信号をフィルタリングする適応フィルタを備え、第２の音声基準は適応フィルタの１つ又は複数のフィルタ係数に基づく。適応フィルタのフィルタ係数は、例えば第２の自声パラメータ等の自声パラメータを形成又は構成してよい。例えば、第２の自声基準は、適応フィルタのフィルタ係数が特定のサンプルで明瞭なピークを示す場合に満たされてよい。１つ又は複数の例示的な聴覚デバイス／方法では、第２の自声基準は、適応フィルタのフィルタ係数が特定のサンプルで明瞭なピークを示し、かつＣＯＶＰ＿２＝１である場合に満たされてもよく、ここでＣＯＶＰ＿２＝１は、対側聴覚デバイスにおいて適応フィルタのフィルタ係数が特定のサンプルで明瞭なピークを示していることを示す。適応フィルタが特定の閾値を超えているあるサンプルで明瞭なピークを持つ場合に、自声が存在する傾向がある。特定のサンプルで明瞭なピークを有する（適応）ＦＩＲフィルタは、自声の存在を示す、明瞭な近接する音源のマイクロホン間でのある一定の遅延（到達時間）をほのめかす。
【００３９】
１つ又は複数の例示的な聴覚デバイス／方法では、音声検出器モジュールは、第１のマイクロホン入力信号に基づく第１のスペクトルパラメータ及び第２のマイクロホン入力信号に基づく第２のスペクトルパラメータを提供するスペクトル解析器を備え、第３の音声基準は第１のスペクトルパラメータ及び／又は第２のスペクトルパラメータに基づく。
【００４０】
スペクトルパラメータは、第３の自声パラメータ等の自声パラメータを形成又は構成し得、第３の音声基準は所望により、スペクトルパラメータに基づく。換言すれば、音声検出器モジュールは所望により、第１のマイクロホン入力信号及び／又は第２のマイクロホン入力信号に基づいてスペクトルパラメータを提供するスペクトル解析器を備える。第３の音声基準は、スペクトルパラメータに基づいてよい。
【００４１】
１つ又は複数の例示的な聴覚デバイスでは、第３の音声基準の第３の１次自声パラメータＯＶＰ＿３＿１は、第１のマイクロホン入力信号に基づく第１のスペクトルパラメータＳＰ＿１であり、所望により、第１のマイクロホン入力信号の低周波数スペクトル入力パワーを示す。
【００４２】
１つ又は複数の例示的な聴覚デバイスでは、第３の音声基準の第３の２次自声パラメータＯＶＰ＿３＿２は、第２のマイクロホン入力信号に基づく第２のスペクトルパラメータＳＰ＿２であり、所望により、第２のマイクロホン入力信号の低周波数スペクトル入力パワーを示す。
【００４３】
従って、第３の音声基準は、第１のスペクトルパラメータＳＰ＿１及び／又は第２のスペクトルパラメータＳＰ＿２に基づいてよい。
【００４４】
例えば、第１のマイクロホンはＢＴＥハウジングの前方マイクロホンであり、第２のマイクロホンは聴覚デバイスの耳部分の耳内マイクロホンであるか、又は例えば、第１のマイクロホンは前方マイクロホンであり、第２のマイクロホンはＢＴＥハウジングの後方マイクロホンである、１つ又は複数の例示的な聴覚デバイスでは、第３の音声基準ＶＣ＿３は、
ＳＰ＿１＜ＳＰ＿２
によって与えられてよい。
【００４５】
例えば、第１のマイクロホンは前方マイクロホンであり、第２のマイクロホンは耳内マイクロホンである、１つ又は複数の例示的な聴覚デバイスでは、第３の音声基準ＶＣ＿３は、
ＳＰ＿１＜ＳＰ＿２かつＣＯＶＰ＿３＝１
によって与えられてよい。
ここで、ＣＯＶＰ＿３＝１は、対側聴覚デバイスにおいてＳＰ＿１＜ＳＰ＿２が満たされていることを示す。
【００４６】
例えば、第１のマイクロホンは外耳道内（ｉｎ−ｔｈｅ−ｃａｎａｌ）マイクロホンであり、第２のマイクロホンは外耳（ｏｕｔｅｒ−ｅａｒ）マイクロホン（アンビエント）である、１つ又は複数の例示的な聴覚デバイスでは、第３の音声基準ＶＣ＿３は、
ＳＰ＿１＞ＳＰ＿２
によって与えられてよい。
【００４７】
例えば、第１のマイクロホンは外耳道内マイクロホンであり、第２のマイクロホンは外耳マイクロホン（アンビエント）である、１つ又は複数の例示的な聴覚デバイスでは、第３の音声基準ＶＣ＿３は、
ＳＰ＿１＞ＳＰ＿２かつＣＯＶＰ＿３＝１
によって与えられえよい。
ここで、ＣＯＶＰ＿３＝１は、対側聴覚デバイスにおいてＳＰ＿１＞ＳＰ＿２が満たされていることを示す。
【００４８】
第３の音声基準は所望により、ＦＦＴ等のスペクトル解析器を利用し、マイクロホン信号の低周波数成分を解析する。自声パワーは、外耳道内に実質的に骨伝導されるため、第２のマイクロホンに対する低周波数パワーと、中周波数及び高周波数パワーとの比は、自声が存在しないときよりも存在するときの方が比較的大きくなる。加えて、自声が存在するときは、両方のマイクロホンに対して低周波数パワーはより大きくなるため、低周波数パワーの変化は自声アクティビティの存在に対する音声基準として使用され得る。
【００４９】
１つ又は複数の例示的な聴覚デバイスでは、聴覚デバイスは、対側聴覚デバイスにおける音声検出を利用し、かつ部分的に依存する。
【００５０】
従って、第１の音声基準は、
ＣＯＶＰ＿１＝１
によって与えられてよい。
ここで、ＣＯＶＰ＿１＝１は、対側聴覚デバイスにおいてＰ＿Ｅ＜Ｐ＿１が満たされていることを示す。
【００５１】
従って、第２の音声基準は、
ＣＯＶＰ＿２＝１
によって与えられてよい。
ここで、ＣＯＶＰ＿２＝１は、対側聴覚デバイスにおいて適応フィルタのフィルタ係数が特定のサンプルで明瞭なピークを示すことを示す。
【００５２】
従って、第３の音声基準は、
ＣＯＶＰ＿３＝１
によって与えられてよい。
ここで、ＣＯＶＰ＿３＝１は、対側聴覚デバイスにおいてＳＰ＿１＞ＳＰ＿２が満たされていることを示す。
【００５３】
１つ又は複数の例示的な聴覚デバイス／方法では、音声検出器モジュールは、第１の対側自声パラメータに基づく第４の音声基準が満たされているかどうかを判断するように構成されている。音声検出器モジュールは、第４の音声基準を含む１つ又は複数の、例えば、少なくとも２つ又は少なくとも３つの音声基準が満たされていることに従って、自声の検出をプロセッサに通知するように構成されてよい。１つ又は複数の例示的な聴覚デバイスでは、音声検出器モジュールは、第１の音声基準及び第４の音声基準が満たされていることに従って、自声の検出をプロセッサに通知するように構成されてよい。
【００５４】
対側聴覚デバイス、例えば、本明細書で開示される聴覚デバイスのパワー解析器からの対側パワーパラメータは、第１の対側自声パラメータを形成又は構成してよく、すなわち、第１の対側自声パラメータは対側パワーパラメータを含んでよい。
【００５５】
１つ又は複数の例示的な聴覚デバイスでは、対側聴覚デバイスは、対側聴覚デバイスのパワーパラメータに基づく第４の音声基準が満たされているかどうかを判断するように構成され、第１の対側自声パラメータは、第４の音声基準が対側聴覚デバイスにおいて満たされるかどうかを示す。
【００５６】
１つ又は複数の例示的な聴覚デバイス／方法では、音声検出器モジュールは、第２の対側自声パラメータに基づく第５の音声基準が満たされているかどうかを判断するように構成されている。音声検出器モジュールは、第５の音声基準を含む１つ又は複数の、例えば、少なくとも２つ又は少なくとも３つの音声基準が満たされていることに従って、自声の検出をプロセッサに通知するように構成されてよい。
【００５７】
対側聴覚デバイス、例えば、本明細書で開示される聴覚デバイスの適応フィルタの１つ又は複数の対側フィルタ係数は、第２の対側自声パラメータを形成又は構成してよく、すなわち、第２の対側自声パラメータは対側フィルタ係数を含み得る。
【００５８】
１つ又は複数の例示的な聴覚デバイスでは、対側聴覚デバイスは、対側聴覚デバイスの適応フィルタのフィルタ係数に基づく第５の音声基準が満たされているかどうかを判断するように構成され、第２の対側自声パラメータは、第５の音声基準が対側聴覚デバイスにおいて満たされるかどうかを示す。
【００５９】
１つ又は複数の例示的な聴覚デバイス／方法では、音声検出器モジュールは、第３の対側自声パラメータに基づく第６の音声基準が満たされているかどうかを判断するように構成されている。音声検出器モジュールは、第６の音声基準を含む１つ又は複数の、例えば、少なくとも２つ又は少なくとも３つの音声基準が満たされていることに従って、自声の検出をプロセッサに通知するように構成されてよい。
【００６０】
対側スペクトルパラメータは、第３の対側自声パラメータを形成又は構成してよく、第６の音声基準は所望により、対側スペクトルパラメータに基づく。例えば、第６の音声基準は、例えば第３の音声基準に関連して記載されるように、第１の対側スペクトルパラメータＣＳＰ＿１及び／又は、第２の対側スペクトルパラメータＣＳＰ＿２に基づいてよい。
【００６１】
１つ又は複数の例示的な聴覚デバイスでは、対側聴覚デバイスは、対側聴覚デバイスの対側スペクトルパラメータに基づく第６の音声基準が満たされているかどうかを判断するように構成され、第３の対側自声パラメータは、第６の音声基準が対側聴覚デバイスにおいて満たされているかどうかを示す。
【００６２】
聴覚デバイスは、第１のマイクロホン入力信号及び第２のマイクロホン入力信号に基づく電気出力信号を提供するために、第１のマイクロホン入力信号及び第２のマイクロホン入力信号を処理するためのプロセッサを備える。プロセッサは、所望により、聴覚デバイスのユーザの聴力損失を補うように構成されている。プロセッサは、自声を検出する音声検出器モジュールの出力に基づいて、第１のマイクロホン入力信号及び第２のマイクロホン入力信号を処理するように構成されている。例えば、プロセッサは、自声が検出される／存在している（自声出力信号を介し音声検出器モジュールによって通知される）ときに第１の処理スキームを適用し、かつ／又は自声が検出されない／存在しないときに第２の処理スキームを適用するように構成されてよい。第１の処理スキームは、第２の処理スキームとは異なる。
【００６３】
さらに、聴覚デバイスは、電気出力信号をオーディオ出力信号に変換するレシーバを備える。このオーディオ出力信号は使用中にユーザの鼓膜へ送られる。
【００６４】
さらに、プロセッサと、音声検出器モジュールと、第１のマイクロホン及び第２のマイクロホンを含む１組のマイクロホンとを備えた聴覚デバイスの操作方法であって、操作方法は、第１のマイクロホン入力信号及び第２のマイクロホン入力信号を取得することと、音声基準が満たされているかどうかを判断することと、第１の音声基準、第２の音声基準及び第３の音声基準のうちの少なくとも２つのような１つ又は複数の音声基準が満たされていることに従って、自声の検出をプロセッサに通知することとを含む。
【００６５】
本方法は、第１のマイクロホン入力信号を含む１つ又は複数の入力信号に基づいて１つ又は複数のパワーパラメータを決定することを含んでよく、第１の音声基準はパワーパラメータに基づく。
【００６６】
本方法は、第２のマイクロホン入力信号を適応フィルタでフィルタリングすることを含んでよく、第２の音声基準は適応フィルタの１つ又は複数のフィルタ係数に基づく。
【００６７】
本方法は、第１のマイクロホン入力信号及び第２のマイクロホン入力信号に基づいて１つ又は複数のスペクトルパラメータを決定することを含んでよく、第３の音声基準はスペクトルパラメータに基づく。
【００６８】
１つ又は複数の例示的な聴覚デバイス／方法では、音声検出器モジュールは、電気出力信号、及び聴覚デバイスの無線トランシーバを介して受信される対側電気出力信号に基づく１つ又は複数の相互相関パラメータを提供する相互相関器を備える。第１の相互相関パラメータＣＣＰ＿１は、電気出力信号と対側電気出力信号との間の最大相互相関である位置ｋを示してよい。第１の音声基準ＶＣ＿１は、第１の自声パラメータを構成する第１の相互相関パラメータＣＣＰ＿１に基づいてよく、
ＣＣＰ＿１＜ＴＨ＿ｋ
によって与えられてよい。
ここで、ＴＨ＿ｋは１、２又は３等の閾値である。このような場合、主要音源は正中面に由来し、これは自声の存在を示す。
【００６９】
図１は、例示的な聴覚デバイスを示す。聴覚デバイス２は、第１のマイクロホン入力信号４Ａ及び第２のマイクロホン入力信号６Ａをそれぞれ提供するための第１のマイクロホン４及び第２のマイクロホン６を含む１組のマイクロホンと、第１のマイクロホン入力信号４Ａ及び第２のマイクロホン入力信号６Ａを処理するために第１のマイクロホン４及び第２のマイクロホン６に接続された音声検出器モジュール８とを備え、音声検出器モジュール８は聴覚デバイスのユーザの自声を検出するように構成されている。聴覚デバイス２は、第１のマイクロホン入力信号４Ａ及び第２のマイクロホン入力信号６Ａに基づいて電気出力信号１０Ａを提供するために、第１のマイクロホン入力信号４Ａ及び第２のマイクロホン入力信号６Ａを処理するプロセッサ１０と、電気出力信号１０Ａをオーディオ出力信号１２Ａに変換するレシーバ１２と、を備える。音声検出器モジュール８は、音声基準が満たされているかどうかを判断し、第１の音声基準、第２の音声基準及び第３の音声基準のうちの少なくとも２つが満たされていることに従って、自声の検出を自声出力信号８Ａを介してプロセッサ１０に通知するように構成されている。聴覚デバイス２は所望により、１つ又は複数の対側自声パラメータ、例えば、第１の対側自声パラメータＣＯＶＰ＿１及び／又は第２の対側自声パラメータＣＯＶＰ＿２及び／又は第３の対側自声パラメータＣＯＶＰ＿３を、対側聴覚デバイスから受信するために音声検出器モジュール８に接続された無線トランシーバ１４を備える。
【００７０】
音声検出器モジュール８は、無線トランシーバ１４を介して、１つ又は複数の音声基準インジケータ、例えば、ＶＣＩ＿１及び／又はＶＣＩ＿２及び／又はＶＣＩ＿３を、対側聴覚デバイスに送信するように構成されてよい。
【００７１】
図２は、例示的な音声検出器モジュールを示す。音声検出器モジュール８は、検出器コントローラ１６と、第１のマイクロホン４からの第１のマイクロホン入力信号４Ａのパワーを示す第１のパワーパラメータＰ＿１を検出器コントローラ１６に提供するように構成されたパワー解析器１８とを備える。パワー解析器１８は、第１のマイクロホン入力信号４Ａ及びフィルタリングされた第２のマイクロホン入力信号２２に基づくエラー信号２０のパワーを示すエラーパラメータＰ＿Ｅを検出器コントローラ１６に提供するように構成されている。
【００７２】
音声検出器モジュール８は、第２のマイクロホン入力信号６Ａをフィルタリングする適応フィルタ２４を備える。適応フィルタ２４の１つ又は複数のフィルタ係数２６は、検出器コントローラ１６に送られ、第２の音声基準は適応フィルタの１つ又は複数のフィルタ係数に基づく。
【００７３】
音声検出器モジュール８は、第１のマイクロホン入力信号４Ａに基づいて第１のスペクトルパラメータＳＰ＿１を提供するように構成され、かつ第２のマイクロホン入力信号６Ａに基づいて第２のスペクトルパラメータＳＰ＿２を提供するように構成された、スペクトル解析器２８を備える。第１のスペクトルパラメータＳＰ＿１及び第２のスペクトルパラメータＳＰ＿２は検出器コントローラ１６に送られる。第１のスペクトルパラメータＳＰ＿１は、第１のマイクロホン入力信号４Ａの低周波数スペクトル入力パワーを示し、第２のスペクトルパラメータＳＰ＿２は、第２のマイクロホン入力信号６Ａの低周波数スペクトル入力パワーを示す。
【００７４】
音声検出器モジュール８の検出器コントローラ１６は、Ｐ＿１、Ｐ＿Ｅ及び所望によりＣＯＶＰ＿１に基づく第１の音声基準が満たされているかどうかを判断するように構成されている。検出器コントローラ１６の第１の音声基準は、（Ｐ＿Ｅ＜Ｐ＿１）又は（Ｐ＿Ｅ＜Ｐ＿１かつＣＯＶＰ＿１＝１）によって与えられ、ＣＯＶＰ＿１＝１は、対側聴覚デバイスにおいてＰ＿Ｅ＜Ｐ＿１が満たされていることを示す。
【００７５】
音声検出器モジュール８の検出器コントローラ１６は、フィルタ係数２６及び所望によりＣＯＶＰ＿２に基づく第２の音声基準が満たされているかどうかを判断するように構成されている。第２の自声基準は、所望により、フィルタ係数２６が特定のサンプルで明瞭なピークを示す場合、又はフィルタ係数２６が特定のサンプルで明瞭なピークを示し、かつＣＯＶＰ＿２＝１（ここでＣＯＶＰ＿２＝１は対側聴覚デバイスにおいて適応フィルタのフィルタ係数が特定のサンプルで明瞭なピークを示すことを示す）である場合、満たされる。
【００７６】
音声検出器モジュール８の検出器コントローラ１６は、ＳＰ＿１、ＳＰ＿２及び所望によりＣＯＶＰ＿３に基づく第３の音声基準が満たされているかどうかを判断するように構成されている。
【００７７】
第１のマイクロホンは前方マイクロホンであり、第２のマイクロホンは耳内型マイクロホンである聴覚デバイスでは、検出器コントローラ１６の第３の音声基準ＶＣ＿３は、（ＳＰ＿１＜ＳＰ＿２）又は（ＳＰ＿１＜ＳＰ＿２かつＣＯＶＰ＿３＝１）によって与えられ、ＣＯＶＰ＿３＝１は、対側聴覚デバイスにおいてＳＰ＿１＜ＳＰ＿２が満たされていることを示す。
【００７８】
第１のマイクロホンは外耳道内（ｉｎ−ｔｈｅ−ｃａｎａｌ）マイクロホンであり、第２のマイクロホンは外耳（ｏｕｔｅｒ−ｅａｒ）マイクロホン（アンビエント）である聴覚デバイスでは、検出器コントローラ１６の第３の音声基準ＶＣ＿３は、（ＳＰ＿１＞ＳＰ＿２）又は（ＳＰ＿１＞ＳＰ＿２かつＣＯＶＰ＿３＝１）によって与えられ、ＣＯＶＰ＿３＝１は、対側聴覚デバイスにおいてＳＰ＿１＞ＳＰ＿２が満たされていることを示す。
【００７９】
検出器コントローラ１６は、自声出力信号８Ａを介して、第１の音声基準、第２の音声基準及び第３の音声基準のうちの少なくとも２つ等の１つ又は複数の音声基準が満たされていることに従って、自声の検出をプロセッサに通知するように構成されている。例えば、それぞれの基準が対側聴覚デバイスからの対側自声パラメータＣＯＶＰを考慮に入れているのであれば、１つの基準が十分であり得る。
【００８０】
図３は、プロセッサと、音声検出器モジュールと、第１のマイクロホン及び第２のマイクロホンを備える１組のマイクロホンとを備えた聴覚デバイスの例示的操作方法のフローチャートを示す。方法１００は、第１のマイクロホン入力信号及び第２のマイクロホン入力信号を取得すること１０２と、第１の音声基準ＶＣ＿１、第２の音声基準ＶＣ＿２及び第３の音声基準ＶＣ＿３を含む音声基準が満たされているかどうかを判断すること１０４と、第１の音声基準ＶＣ＿１、第２の音声基準ＶＣ＿２及び第３の音声基準ＶＣ＿３のうちの少なくとも２つが満たされていることに従って、自声の検出をプロセッサに通知すること１０６と、を備える。
【００８１】
方法１００は、第１の音声基準ＶＣ＿１が満たされているかどうかを判断すること１０４Ａと、第２の音声基準ＶＣ＿２が満たされているかどうかを判断すること１０４Ｂと、第３の音声基準ＶＣ＿３が満たされているかどうかを判断すること１０４Ｃとを備える。
【００８２】
方法１００は、第１の音声基準に関して第１のマイクロホン入力信号に基づく第１のパワーパラメータを決定すること１０８Ａと、第１の音声基準に関して第１のマイクロホン入力信号とフィルタリングされた第２のマイクロホン入力信号との間のエラー信号に基づくエラーパワーパラメータを決定すること１０８Ｂと、を含む音声基準ＶＣ＿１、ＶＣ＿２、ＶＣ＿３に関して自声パラメータを決定すること１０８を備える。
【００８３】
方法１００は、第２のマイクロホン入力信号を適応フィルタでフィルタリングすること１０８Ｃを備え、第２の音声基準は適応フィルタの１つ又は複数のフィルタ係数に基づく。換言すれば、第２の音声基準のフィルタ係数は適応フィルタリングによって決定される。
【００８４】
方法１００は、第１のマイクロホン入力信号に基づく第１のスペクトルパラメータＳＰ＿１を決定すること１０８Ｄと、第２のマイクロホン入力信号に基づく第２のスペクトルパラメータＳＰ＿２を決定すること１０８Ｅとを備え、第３の音声基準は第１のスペクトルパラメータ及び第２のスペクトルパラメータに基づく。
【００８５】
「第１の」、「第２の」、「第３の」、及び「第４の」、「１次」、「２次」、「３次」等の用語の使用は、いかなる特定の順序を意味するものではなく、個々の要素を識別するために含まれる。さらに、「第１の」、「第２の」、「第３の」、及び「第４の」、「１次」、「２次」、「３次」等の用語の使用は、いかなる順序又は重要性を示すものではなく、むしろ「第１の」、「第２の」、「第３の」、及び「第４の」、「１次」、「２次」、「３次」等の用語はある要素を他の要素と区別するために使用される。「第１の」、「第２の」、「第３の」、及び「第４の」、「１次」、「２次」、「３次」等の用語は、本明細書及び他の箇所において標識する目的でのみ使用されており、任意の特定の空間的又は時間的な順序を示すことは意図されていないことに留意されたい。
【００８６】
さらに、第１の要素の標識は、第２の要素の存在を意味するものではなく、その逆もある。
【００８７】
図１〜図３は、実線で示されたいくつかのモジュール又は操作と、点線で示されたいくつかのモジュール又は操作とを含むことが認識されるであろう。実線に含まれるモジュール又は操作は、最も広い例示的実施形態に含まれるモジュール又は操作である。点線に含まれるモジュール又は操作は、実線の例示的実施形態のモジュール又は操作に追加して採用されてもよい追加のモジュール又は操作に含まれてもよいか、その一部であってもよいか、又は当該追加のモジュール又は操作であり得る例示的実施形態である。これらの操作は提示された順序で実行される必要はないことを理解するべきである。さらに、これらの操作はすべて実行される必要はないことを理解するべきである。例示的操作は、任意の順序で任意の組み合わせで実行されてよい。
【００８８】
用語「含む、備える」とは、必ずしも列挙された要素又はステップ以外の要素又はステップの存在を排除するものではないことに留意されたい。
【００８９】
要素に先立つ用語「１つの（ａ、ａｎ）」はこのような要素の複数の存在を排除するものではないことに留意されたい。
【００９０】
さらに、いかなる参照符号も請求項の範囲を限定するものではなく、例示的実施形態は少なくとも部分的にハードウェア及びソフトウェアの双方の手段により実装されてよく、いくつかの「手段」、「ユニット」又は「デバイス」が同一のハードウェアアイテムにより表現されてもよいことにさらに留意すべきである。
【００９１】
本明細書に記載されている種々の例示的な方法、デバイス、エージェント及びシステムは、方法ステップのプロセスの一般的文脈において記述されている。方法ステップのプロセスは、一態様では、ネットワーク化された環境においてコンピュータにより実行されるプログラムコード等のコンピュータが実行可能な命令をはじめとするコンピュータ可読媒体にて具現化されるコンピュータプログラム製品によって実施されてもよい。コンピュータ可読媒体としては、読み出し専用メモリ（ＲＯＭ）、ランダムアクセスメモリ（ＲＡＭ）、コンパクトディスク（ＣＤ）、デジタル多用途ディスク（ＤＶＤ）等を含むが、これらに限定されない、取り外し可能及び取り外し不能なデータ記憶ユニットを挙げることができる。一般に、プログラムモジュールとしては、特定のタスクを実行するか、又は特定の抽象データ型を実装するルーチン、プログラム、オブジェクト、コンポーネント、データ構造等を挙げることができる。コンピュータが実行可能な命令、関連付けられたデータ構造及びプログラムモジュールは、本明細書で開示される方法のステップを実行するプログラムコードの例を表す。このような実行可能命令又は関連付けられたデータ構造の特定の順序は、このようなステップ又はプロセスにて記述された機能を実施するための対応する動作の例を表す。
【００９２】
特徴を示し、説明したが、それらの特徴は、特許請求の範囲に記載された発明を制限することを意図していないことが理解され、また当業者には各種変更及び改変が特許請求の範囲に記載された発明の趣旨及び範囲から逸脱することなく行われ得ることが明らかになるだろう。従って、本明細書及び図面は、限定するものではなくむしろ例示としてみなされるべきである。特許請求の範囲に記載された発明は、あらゆる代替、改変及び均等物を包含することが意図される。
【符号の説明】
【００９３】
２  聴覚デバイス
４  第１のマイクロホン
４Ａ  第１のマイクロホン入力信号
６  第２のマイクロホン
６Ａ  第２のマイクロホン入力信号
８  音声検出器モジュール
８Ａ  自声出力信号
１０  プロセッサ
１０Ａ  電気出力信号
１２  レシーバ
１２Ａ  オーディオ出力信号
１４  無線トランシーバ
１６  検出器コントローラ
１８  パワー解析器
２０  エラー信号
２２  フィルタリング済みの第２のマイクロホン入力信号
２４  適応フィルタ
２６  適応フィルタのフィルタ係数
２８  スペクトル解析器
１０２  第１のマイクロホン入力信号及び第２のマイクロホン入力信号を取得すること
１０４  音声基準が満たされているかどうかを判断すること
１０４Ａ  第１の音声基準が満たされているかどうかを判断すること
１０４Ｂ  第２の音声基準が満たされているかどうかを判断すること
１０４Ｃ  第３の音声基準が満たされているかどうかを判断すること
１０６  自声の検出をプロセッサに通知すること
１０８  自声パラメータを決定すること
１０８Ａ  第１のマイクロホン入力信号に基づく第１のパワーパラメータを決定すること
１０８Ｂ  第１のマイクロホン入力信号とフィルタリング済みの第２のマイクロホン入力信号間のエラー信号に基づくエラーパワーパラメータを決定すること
１０８Ｃ  第２のマイクロホン入力信号を適応フィルタでフィルタリングすること
１０８Ｄ  第１のマイクロホン入力信号に基づく第１のスペクトルパラメータＳＰ＿１を決定すること
１０８Ｅ  第２のマイクロホン入力信号に基づく第１のスペクトルパラメータＳＰ＿２を決定すること
【図１】
2020102836.tif 000003
【図２】
2020102836.tif 000004
【図３】
2020102836.tif 000005
【外国語明細書】
2020102836000001.pdf
2020102836000002.pdf
2020102836000003.pdf
2020102836000004.pdf